(57)【要約】  空調制御部（２１０）は、窓が結露発生状態にあると判定された場合、除湿運転が行われるように室外機（４）を制御し、窓に向けて風を吹き当てるように結露防止制御対象である第１の吹き出し口の風向き切替え部を制御し、結露発生状態にあると判定される前の切替え状態が継続されるように結露防止制御対象でない第２の吹き出し口の風向き切替え部を制御する。これにより、室内空間の温度、湿度を適切に保ちつつ、窓に対する結露防止を実現する。
2020183716.tif 000002
【特許請求の範囲】
【請求項１】
室外機と、前記室外機に接続される第１の室内機とを有し、前記室外機と前記第１の室内機によって室内と室外を隔てる窓を有する室内空間の空調を行う空気調和機であって、
前記室外機は、
外気温度を検出する外気温度検出部を備え、
前記第１の室内機は、
風向きおよび開閉が切替え可能な風向き切替え部を夫々有し、複数の方向へ風を吹き出す複数の吹き出し口を有する第１の室内機筐体と、
前記窓の位置を検出する第１の窓位置検出部と、
前記室内空間の温度を検出する第１の室内温度検出部と、
前記室内空間の湿度を検出する第１の室内湿度検出部と、
前記第１の室内温度検出部および前記第１の室内湿度検出部によって検出された前記室内空間の温度および湿度に基づいて前記室内空間の露点温度を算出し、前記算出された露点温度および前記外気温度に基づいて前記窓の結露発生状態を判定する第１の結露判定部と、
前記検出された窓の位置に基づいて、前記複数の吹き出し口を、前記窓に対する結露防止制御対象である吹き出し口である第１の吹き出し口と、前記結露防止制御対象でない吹き出し口である第２の吹き出し口とに分類する分類部と、
前記第１の結露判定部によって前記窓が結露発生状態にあると判定された場合、除湿運転が行われるように前記室外機を制御することと、前記窓に向けて風を吹き当てるように前記第１の吹き出し口の前記風向き切替え部を制御し、前記結露発生状態にあると判定される前の切替え状態が継続されるように前記第２の吹き出し口の前記風向き切替え部を制御することとを含む第１の運転を行う第１の空調制御部と、
を備える空気調和機。
【請求項２】
前記窓と前記第１の室内機筐体との間に人がいるか否かを検出する第１の在人検出部を更に備え、
前記第１の空調制御部は、前記第１の結露判定部によって前記窓が結露発生状態にあると判定された場合であって、前記第１の在人検出部により在人が検出されない場合に、前記第１の運転を行う請求項１に記載の空気調和機。
【請求項３】
前記第１の空調制御部は、前記第１の結露判定部によって前記窓が結露発生状態にあると判定された場合であって、前記空気調和機が運転中と判定された場合であって、かつ前記第１の在人検出部により在人が検出された場合には、第１の時間が経過するまでの期間には、前記結露発生状態にあると判定される前の運転状態を継続するように前記室外機を制御することと、前記検出された人に向けて風が当たらないように前記第１の吹き出し口の前記風向き切替え部を制御し、前記結露発生状態にあると判定される前の切替え状態を継続するように前記第２の吹き出し口の前記風向き切替え部を制御することとを含む第２の運転を行う請求項２に記載の空気調和機。
【請求項４】
前記第１の空調制御部は、前記第１の結露判定部によって前記窓が結露発生状態にあると判定された場合であって、前記空気調和機が運転停止中と判定された場合であって、かつ前記第１の在人検出部により在人が検出された場合には、前記第１の時間が経過するまでの期間には、除湿運転が行われるように前記室外機を制御することと、前記検出された人に向けて風が当たらないように前記第１の吹き出し口の前記風向き切替え部を制御し、前記結露発生状態にあると判定される前の切替え状態を継続するように前記第２の吹き出し口の前記風向き切替え部を制御することとを含む第３の運転を行う請求項３に記載の空気調和機。
【請求項５】
前記第１の空調制御部は、前記第１の結露判定部によって前記窓が結露発生状態にあると判定された場合であって、かつ前記第１の在人検出部により在人が検出された場合には、前記第１の時間が経過した後の期間には、除湿運転が行われるように前記室外機を制御することと、前記検出された人に向けて風が当たらないように前記第１の吹き出し口の前記風向き切替え部を制御し、開状態となるように前記第２の吹き出し口の前記風向き切替え部を制御することとを含む第４の運転を行う請求項４に記載の空気調和機。
【請求項６】
前記室外機に接続され、前記室内空間に配置される第２の室内機を更に備え、
前記第２の室内機は、
風向きの切替えおよび開閉が可能な風向き切替え部を夫々有し、複数の方向へ風を吹き出す複数の第３の吹き出し口を有する第２の室内機筐体と、
前記窓の位置を検出する第２の窓位置検出部と、
前記室内空間の温度を検出する第２の室内温度検出部と
前記室内空間の湿度を検出する第２の室内湿度検出部と、
前記窓と前記第２の室内機筐体との間に人がいるか否かを検出する第２の在人検出部と、
前記第２の室内温度検出部および前記第２の室内湿度検出部によって検出された前記室内空間の温度および湿度に基づいて前記室内空間の露点温度を算出し、前記算出された露点温度および前記外気温度に基づいて前記窓の結露発生状態を判定する第２の結露判定部と、
前記第２の窓位置検出部によって前記窓が検出されない場合であって、前記第２の結露判定部によって前記窓が結露発生状態にあると判定された場合であって、かつ前記第２の在人検出部によって在人が検出されない場合、前記結露発生状態にあると判定される前の切替え状態を継続するように前記複数の第３の吹き出し口の前記風向き切替え部を制御する第２の空調制御部と、
を備える請求項５に記載の空気調和機。
【請求項７】
前記第２の空調制御部は、前記第２の窓位置検出部によって前記窓が検出されない場合であって、前記第２の結露判定部によって前記窓が結露発生状態にあると判定された場合であって、かつ前記第２の在人検出部により在人が検出された場合、前記第１の時間が経過した後の期間には、開状態となるように前記複数の第３の吹き出し口の前記風向き切替え部を制御する請求項６に記載の空気調和機。
【請求項８】
前記第２の空調制御部は、前記第２の窓位置検出部によって前記窓が検出されない場合であって、前記第２の結露判定部によって前記窓が結露発生状態にあると判定された場合であって、かつ前記第２の在人検出部により在人が検出された場合には、前記第１の時間が経過するまでの期間には、前記結露発生状態にあると判定される前の切替え状態を継続するように前記複数の第３の吹き出し口の前記風向き切替え部を制御する請求項７に記載の空気調和機。
【請求項９】
前記風向き切替え部は、上下方向に風向きを切り換え、かつ吹き出し口を開閉する上下ベーンと、左右方向に風向きを切り換える左右ルーバとを夫々備える請求項１から８の何れか一つに記載の空気調和機。
【発明の詳細な説明】
【技術分野】
【０００１】
本発明は、空気調和機に関するものである。
【背景技術】
【０００２】
空気調和機には、窓の結露発生を防止するための結露防止運転機能を有するものがある。特許文献１では、カーテンの開閉状態に応じて室内温度を補正した補正室内温度を求め、室内湿度と補正室内温度と室外温度に基づいて結露発生状態を判定し、露点温度以下とならないように、窓の位置に向けて除湿運転を行っている。
【先行技術文献】
【特許文献】
【０００３】
【特許文献１】特開２０１３−４７５８３号公報
【発明の概要】
【発明が解決しようとする課題】
【０００４】
特許文献１には、１つの吹き出し口を有する空気調和機に関する結露防止制御が記載されているが、複数の吹き出し口を有する空気調和機に関する結露防止制御が示されていない。【０００５】
本発明は、上記に鑑みてなされたものであって、複数の吹き出し口を有する空気調和機において、室内の温度と湿度を適切に保ちつつ窓の結露防止を実現することができる空気調和機を得ることを目的とする。
【課題を解決するための手段】
【０００６】
上述した課題を解決し、目的を達成するために、本発明にかかる空気調和機は、室外機と、前記室外機に接続される第１の室内機とを有し、前記室外機と前記第１の室内機によって室内と室外を隔てる窓を有する室内空間の空調を行う空気調和機であって、前記室外機は、外気温度を検出する外気温度検出部を備え、前記第１の室内機は、風向きおよび開閉が切替え可能な風向き切替え部を夫々有し、複数の方向へ風を吹き出す複数の吹き出し口を有する第１の室内機筐体と、前記窓の位置を検出する第１の窓位置検出部と、前記室内空間の温度を検出する第１の室内温度検出部と、前記室内空間の湿度を検出する第１の室内湿度検出部と、前記第１の室内温度検出部および前記第１の室内湿度検出部によって検出された前記室内空間の温度および湿度に基づいて前記室内空間の露点温度を算出し、前記算出された露点温度および前記外気温度に基づいて前記窓の結露発生状態を判定する第１の結露判定部と、前記検出された窓の位置に基づいて、前記複数の吹き出し口を、前記窓に対する結露防止制御対象である吹き出し口である第１の吹き出し口と、前記結露防止制御対象でない吹き出し口である第２の吹き出し口とに分類する分類部と、前記第１の結露判定部によって前記窓が結露発生状態にあると判定された場合、除湿運転が行われるように前記室外機を制御することと、前記窓に向けて風を吹き当てるように前記第１の吹き出し口の前記風向き切替え部を制御し、前記結露発生状態にあると判定される前の切替え状態が継続されるように前記第２の吹き出し口の前記風向き切替え部を制御することとを含む第１の運転を行う第１の空調制御部とを備える。
【発明の効果】
【０００７】
本発明にかかる空気調和機は、室内の温度と湿度を適切に保ちつつ窓の結露防止を実現することができるという効果を奏する。
【図面の簡単な説明】
【０００８】
【図１】実施の形態における空気調和機の構成例を示すブロック図
【図２】実施の形態における空気調和機の室内機の外観例を示す図
【図３】実施の形態における空気調和機の結露防止制御の動作例を示すフローチャート
【図４】結露防止運転Ａの動作例を示すフローチャート
【図５】結露防止運転Ｂの動作例を示すフローチャート
【図６】結露防止運転Ｃの動作例を示すフローチャート
【発明を実施するための形態】
【０００９】
以下に、本発明の実施の形態にかかる空気調和機を図面に基づいて詳細に説明する。なお、この実施の形態によりこの発明が限定されるものではない。
【００１０】
実施の形態．
本実施の形態では、室内と室外とを隔てる窓を有する室内空間の空調を行う空気調和機において、室内温度が外気温度よりも高くなる寒冷期に窓の室内面への結露を防止する結露防止制御を実施する。
【００１１】
図１は実施の形態における空気調和機の制御構成例を示すブロック図である。図１に示すように、実施の形態にかかる空気調和機は、リモコン（リモートコントローラ）１と、２つの室内機２，３と、室内機２，３に接続される１つの室外機４とを備えている。室内機２と室内機３とは、同じ内部構成を有している。
【００１２】
室内機２，３と室外機４とは、冷媒配管および内外通信線などで接続されている。空気調和機は、一つの完結した冷凍サイクルを室内機２，３と室外機４とで形成している。空気調和機は、冷媒配管を通って室内機２，３と室外機４との間を循環する冷媒を使用して、空調対象空間である室内空間の空気と室外の空気との間で熱移動を行い、室内空間に対して暖房運転、冷房運転、除湿運転などを実行することで空気調和を実現している。図１では空気調和機の結露防止制御に関係する構成のみを示しており、送風ファン、圧縮機などを含む冷凍サイクル機構といった各種構成部の図示は省略している。
【００１３】
図２は、実施の形態にかかる空気調和機の室内機２の外観の一例を示す図であり、図２は、天井に取り付けた室内機２を下から見た図である。室外機４も同様の外観構成を有している。図２に示すように、天井に取り付けられた室内機２の筐体３０は、多角形状を呈する下面が室内に露出した状態で天井に埋め込まれて設置されている。筐体３０の下面における外周側には、複数の吹き出し口２５が配置されている。
【００１４】
この実施の形態では、筐体３０は四角形状を呈し、外周辺に沿って延在する長方形状の４つの吹き出し口２５が配置されている。また、各吹き出し口２５には、風向きおよび開閉が切替え可能な風向き切替え部としての上下ベーン２２と左右ルーバ２４が設けられている。図２においては、１つの吹き出し口２５に設置される左右ルーバ２４を、便宜上、右方向にずらしてかつ拡大して図示している。上下ベーン２２の傾斜角度が制御されることで、吹き出し口２５の開閉と上下方向についての風向きが制御される。左右ルーバ２４の傾斜角度が制御されることで、左右方向についての風向きが制御される。４つの吹き出し口２５に配置される上下ベーン２２および左右ルーバ２４は、夫々、独立して駆動される。
【００１５】
筐体３０には、温度を検出する室内温度センサ２０と、湿度を検出する室内湿度センサ２１が設けられている。また、筐体３０には、室内機２，３が設置された室内空間の窓の位置を検出するためと、窓付近の人体の存在を検出するために、室内空間の温度分布を計測するサーモパイルセンサ２３が設けられている。サーモパイルセンサ２３は、測定対象の室内空間を複数のエリアに分割し、分割された各エリアの温度分布を測定する。なお、窓位置および人体が測定可能であれば、サーモパイルセンサ２３以外の任意のセンサを用いても良い。
【００１６】
図１に戻って、空気調和機の制御構成を説明する。室外機４は、外気温度を検出する外気温度検出部４０１と、室内機２と通信する室内外通信部４０２とを備えている。
【００１７】
室内機２は、サーモパイルセンサ２３と、室内温度センサ２０と、室内湿度センサ２１と、在人検出部２０１と、窓位置検出部２０２と、室内温度検出部２０３と、室内湿度検出部２０４と、室内外通信部２０５と、吹き出し口分類部２０６と、露点温度算出部２０７と、風向決定部２０８と、結露発生判定部２０９と、空調制御部２１０とを備える。
【００１８】
室内温度検出部２０３は、室内温度センサ２０の検出データに基づいて室内空間の温度を検出する。室内湿度検出部２０４は、室内湿度センサ２１の検出データに基づいて室内空間の湿度を検出する。室内外通信部２０５は、室外機４と通信する。室内外通信部２０５は、室外機４から外気温度を取得する。露点温度算出部２０７は、室内温度、室内湿度に基づいて室内の露点温度を算出する。結露発生判定部２０９は、算出された室内の露点温度と室外温度とに基づいて、窓の室内側が結露発生状態であるか否かを判定する。結露発生判定部２０９は、判定結果を空調制御部２１０へ出力する。
【００１９】
窓位置検出部２０２は、サーモパイルセンサ２３の測定データに基づいて、窓の位置を検出する。結露防止制御を実施する寒冷期には、一般に室内空間のなかで窓および窓周辺の温度が最も低くなるため、例えば、温度が最も低い位置を窓位置として検出する。すなわち、窓位置検出部２０２は、サーモパイルセンサ２３における複数の分割エリアの温度分布に基づいて、温度が最も低い１〜複数の分割エリアの位置を窓の位置として検出する。
【００２０】
在人検出部２０１は、サーモパイルセンサ２３の測定データに基づいて窓付近が在人状態であるか不在状態であるかを検出する。換言すれば、在人検出部２０１は、室内機２の筐体３０と検出された窓位置との間に人が居るか居ないかを判定する。
【００２１】
吹き出し口分類部２０６は、窓位置検出部２０２によって検出された窓位置を記憶し、記憶された窓位置と４つの吹き出し口２５の位置との関係に基づいて、４つの吹き出し口２５を、窓に対する結露防止制御対象である吹き出し口である第１グループの吹き出し口と、結露防止制御対象でない吹き出し口である第２のグループの吹き出し口とに分類する。第１グループの吹き出し口が請求の範囲の第１の吹き出し口に対応する。第２グループの吹き出し口が請求の範囲の第２の吹き出し口に対応する。例えば、窓位置として認識された分割エリアに、近い１または複数の吹き出し口２５を第１のグループの吹き出し口に割り当て、それ以外を第２グループの吹き出し口に割り当てる。複数の窓が検出された場合は、窓毎に第１グループの吹き出し口および第２グループの吹き出し口が割り当てられる。吹き出し口分類部２０６は、窓と、第１グループの吹き出し口および第２グループの吹き出し口との対応関係を示す分類データを、窓毎に記憶する。
【００２２】
風向決定部２０８は、吹き出し口分類部２０６に記憶された前記分類データおよび窓の位置に基づいて、結露防止運転を行うときの室内機２の４つの吹き出し口２５の風向きを夫々決定する。風向決定部２０８は、結露防止制御対象である吹き出し口である第１グループの吹き出し口に関しては、窓に直接風が当たるように、上下ベーン２２および左右ルーバ２４の設定角度を決定する。風向決定部２０８は、結露防止制御対象でない吹き出し口である第２グループの吹き出し口に関しては、状況に応じて上下ベーン２２および左右ルーバ２４の設定角度を決定する。
【００２３】
空調制御部２１０は、結露発生が検出されると、室外機４に除湿運転を行うように指示し、風向決定部２０８で決定された風向きとなるように、４つの吹き出し口２５の上下ベーン２２および左右ルーバ２４を制御して、除湿運転を実行させる。
【００２４】
図１の空気調和機は、２つの室内機２，３を備えているが、窓位置検出部２０２によって窓が検出された室内機と、窓位置検出部２０２によって窓が検出されない室内機とでは、異なる結露防止制御が実行される。
【００２５】
リモコン１は、ユーザの操作により室内機２，３の設定のための指令を室内機２に送信する機能を持っている。本実施の形態では、ユーザがリモコン１を使って結露防止運転機能の設定をオンと設定することにより、室内機２，３に対して結露防止制御機能をオンに設定する。室内機２，３の結露防止制御機能がオンとなると、空気調和機が運転停止中のときでも、常時、結露発生状態を判定して、判定結果に応じて結露防止運転を実行する。
【００２６】
次に、図３〜図６に従って、実施の形態にかかる空気調和機における結露防止制御の処理について説明する。図３は、室内機で行われる結露防止制御を示すフローチャートである。図１に示す空気調和機は、２つの室内機２，３を有しているので、室内機２，３は、夫々図３に示す結露防止制御を実行する。図４は、無人のときの結露防止運転である結露防止運転Ａの動作例を示すフローチャートである。図５は、在人のときであって第１の時間Ｔが経過するまでの結露防止運転である結露防止運転Ｂの動作例を示すフローチャートである。図６は、在人のときであって第１の時間Ｔが経過した後の結露防止運転である結露防止運転Ｃの動作例を示すフローチャートである。結露防止運転Ａが請求の範囲の第１の運転に対応し、結露防止運転Ｂが請求の範囲の第２の運転および第３の運転に対応し、結露防止運転Ｃが請求の範囲の第４の運転に対応する。
【００２７】
本実施の形態にかかる空気調和機では、暖房運転、冷房運転、除湿運転、または送風運転などの通常運転中、あるいは運転停止中に、リモコン１より空気調和機の結露防止機能設定オンを受信することで、結露防止制御が実行される。尚、結露防止機能設定オン状態は、ユーザが結露防止機能設定をオフしたり、初期化されない限り、オン状態は保持される。
【００２８】
室内機２の窓位置検出部２０２は、初期処理として、サーモパイルセンサ２３の測定データを用いて窓位置の検出を行う(ST101)。室内機２の窓位置検出部２０２は、窓位置を検出したか否かを判定する(ST102)。窓位置が検出されない場合(ST102:NO)、続くST103からST105の処理は実行されない。
【００２９】
窓位置が検出された場合(ST102:YES)、吹き出し口分類部２０６は、検出された窓位置を記憶し(ST103)、窓位置と４つの吹き出し口２５の位置との関係に基づいて、４つの吹き出し口２５を、窓に対する結露防止制御対象である吹き出し口である第１グループの吹き出し口と、結露防止制御対象でない吹き出し口である第２のグループの吹き出し口とに分類し、分類データを記憶する(ST104)。
【００３０】
風向決定部２０８は、前記分類データおよび窓の位置に基づいて、窓に直接風が当たるように、第１グループの吹き出し口の上下ベーン２２および左右ルーバ２４の設定角度を決定する(ST105)。
【００３１】
続いて、室内機２の空調制御部２１０は、ユーザによってリモコン１からの結露防止機能設定オンが受信されているか否かを判定する(ST106)。結露防止機能設定オンが受信されていない場合は(ST106:NO)、これで結露防止制御の処理を終了する。リモコン１からの結露防止機能設定オンが受信されている場合(ST106:YES)、室内機２の空調制御部２１０は、結露防止制御の処理を開始する。室内機２の室内温度検出部２０３は、室内温度センサ２０の検出データに基づいて室内空間の温度を検出する。室内湿度検出部２０４は、室内湿度センサ２１の検出データに基づいて室内空間の湿度を検出する(ST107)。露点温度算出部２０７は、室内温度および室内湿度に基づいて室内の露点温度を算出する(ST108)。結露発生判定部２０９は、室内の露点温度と室外機４の外気温度検出部４０１から取得した外気温度とに基づいて、窓の室内面に結露が発生するか否かを判定する(ST109)。
【００３２】
結露発生判定部２０９は、結露が発生していない場合は(ST109:NO)、後述の結露防止運転Ａ、Ｂ、Ｃの何れかが実行中であるか否かを判定し(ST120)、結露防止運転Ａ、Ｂ、Ｃの何れかが実行中である場合は(ST120:YES)、実行中の結露防止運転を停止し(ST130)、その後、手順をST107に移行させる。ST120において、結露防止運転Ａ、Ｂ、Ｃが実行中でない場合は(ST120:NO)、手順はST107に移行される。
【００３３】
結露発生判定部２０９が窓の窓内面に結露が発生していると判定したとき(ST109:YES)、在人検出部２０１は、窓と当該室内機との間のエリアに人が居るか否かを判定する（ST110）。在人検出部２０１が人不在と判定した場合（ST111:NO）、空調制御部２１０は、結露防止運転Ａを実行する(ST116)。
【００３４】
在人検出部２０１が在人と判定した場合(ST111:YES）、空調制御部２１０は、内蔵タイマである在人状態タイマのカウントを開始する（ST112）。空調制御部２１０は、設定された第１の時間が経過したか否かを判定し（ST113）、第１の時間が経過していない期間中は（ST113:NO）、結露防止運転Ｂを実行する（ST115）。
【００３５】
空調制御部２１０は、第１の時間が経過した後の期間は(ST113:YES）、結露防止運転Ｃを実行する（ST114）。結露防止運転Ａ、または結露防止運転Ｃが終了すると、制御手順はST107に移行される。
【００３６】
図４は、窓までのエリア内に人が不在のときに実行される結露防止運転Ａの詳細を示すフローチャートである。結露防止運転Ａでは、空調制御部２１０は、自室内機が結露防止制御対象の室内機であるか否かを判定する(ST200)。空調制御部２１０は、図３のST102において、窓を検出することができた場合、自室内機が結露防止制御対象の室内機であると判定する。また、窓を検出することができなかった場合、自室内機が結露防止制御対象外の室内機であると判定される。自室内機が結露防止制御対象の室内機であると判定された場合(ST200:YES)、空調制御部２１０は、室外機４および自室内機の各部に対し除湿運転を行うことを指示する(ST210)。
【００３７】
また、空調制御部２１０は、自室内機の４つの吹き出し口２５のうちの結露防止制御対象の吹き出し口である第１グループの吹き出し口については(ST220:YES)、図３のST105で決定された設定角度となるよう上下ベーン２２および左右ルーバ２４を制御する(ST240)。これにより、第１グループの吹き出し口から窓にむけて除湿運転の風を吹き当てることができる。
【００３８】
空調制御部２１０は、自室内機の４つの吹き出し口２５のうちの結露防止制御対象外の吹き出し口である第２グループの吹き出し口については(ST220:NO)、結露防止運転Ａが実行される前の吹き出し口２５の開閉および風向き状態を継続するように、上下ベーン２２および左右ルーバ２４を制御する(ST230)。例えば、前の状態が閉状態である場合は、閉状態を維持し、前の状態が上下ベーン２２が角度αで左右ルーバ２４が角度βの場合は、これらの角度状態を維持する。
【００３９】
ST200において、自室内機が結露防止制御対象外の室内機であると判定された場合(ST200:NO)、空調制御部２１０は、自室内機の４つの吹き出し口２５について、結露防止運転Ａが実行される前の吹き出し口の開閉および風向き状態を継続するように、上下ベーン２２および左右ルーバ２４を制御する(ST230)。
【００４０】
図５は、窓までのエリア内が在人でありかつ第１の時間が経過するまでの期間に実行される結露防止運転Ｂの詳細を示すフローチャートである。結露防止運転Ｂでは、空調制御部２１０は、自室内機が結露防止制御対象の室内機であるか否かを判定する(ST300)。自室内機が結露防止制御対象の室内機であると判定された場合(ST300:YES)、空調制御部２１０は、空気調和機が運転中か運転停止中（運転待機中）であるかを判定する(ST310)。空気調和機が運転停止中である場合(ST310:YES)、空調制御部２１０は、室外機４および自室内機の各部に対し除湿運転を行うことを指示する(ST320)。空気調和機が運転停止中でない場合(ST310:NO)、空調制御部２１０は、室外機４および自室内機の各部に対し、結露防止運転Ｂが実行される前の運転状態を継続することを指示する(ST330)。例えば、前の運転が暖房運転である場合、暖房運転を継続するように指示する。
【００４１】
また、空調制御部２１０は、自室内機の４つの吹き出し口２５のうちの結露防止制御対象の吹き出し口である第１グループの吹き出し口については(ST340:YES)、人に風を当てない風向き角度となるように上下ベーン２２および左右ルーバ２４を制御する(ST360)。これにより、第１グループの吹き出し口からは、人を避けた風向きをもって、除湿運転または他の運転の風が吹き出される。
【００４２】
空調制御部２１０は、自室内機の４つの吹き出し口２５のうちの結露防止制御対象外の吹き出し口である第２グループの吹き出し口については(ST340:NO)、結露防止運転Ｂが実行される前の吹き出し口の開閉および風向き状態を継続するように、上下ベーン２２および左右ルーバ２４を制御する(ST350)。例えば、前の状態が閉状態である場合は、閉状態を維持し、前の状態が上下ベーン２２が角度αで左右ルーバ２４が角度βの場合は、これらの角度状態を維持する。
【００４３】
ST300において、自室内機が結露防止制御対象外の室内機であると判定された場合(ST300:NO)、空調制御部２１０は、自室内機の４つの吹き出し口２５について、結露防止運転Ｂが実行される前の吹き出し口の開閉および風向き状態を継続するように、上下ベーン２２および左右ルーバ２４を制御する(ST350)。
【００４４】
図６は、窓までのエリア内が在人でありかつ第１の時間が経過した後の期間に実行される結露防止運転Ｃの詳細を示すフローチャートである。結露防止運転Ｃでは、空調制御部２１０は、自室内機が結露防止制御対象の室内機であるか否かを判定する(ST400)。自室内機が結露防止制御対象の室内機であると判定された場合(ST400:YES)、空調制御部２１０は、室外機４および自室内機の各部に対し除湿運転を行うことを指示する(ST410)。
【００４５】
空調制御部２１０は、自室内機の４つの吹き出し口２５のうちの結露防止制御対象の吹き出し口である第１グループの吹き出し口については(ST420:YES)、人に風を当てない風向き角度となるように上下ベーン２２および左右ルーバ２４を制御する(ST440)。これにより、第１グループの吹き出し口からは、人を避けた風向きをもって、除湿運転の風が吹き出される。
【００４６】
空調制御部２１０は、自室内機の４つの吹き出し口２５のうちの結露防止制御対象外の吹き出し口である第２グループの吹き出し口については(ST420:NO)、開状態となるように上下ベーン２２および左右ルーバ２４を制御する(ST430)。第２グループの吹き出し口における上下ベーン２２および左右ルーバ２４の角度に関しては、室内区間の窓付近の除湿が効率よく行われる角度に制御するかあるいはスイングを行うように制御する。これにより、結露防止制御対象の室内機の全ての吹き出し口を使用した除湿運転が実行される。
【００４７】
ST400において、自室内機が結露防止制御対象外の室内機であると判定された場合(ST400:NO)、空調制御部２１０は、自室内機の４つの吹き出し口２５について、開状態となるように上下ベーン２２および左右ルーバ２４を制御する(ST430)。結露防止制御対象外の室内機の各吹き出し口における上下ベーン２２および左右ルーバ２４の角度に関しては、室内区間の窓付近の除湿が効率よく行われる角度に制御するかあるいはスイングを行うように制御する。これにより、室内空間に設置される全ての室内機の吹き出し口を使用した除湿運転が実行される。
【００４８】
このような結露防止運転Ａ、ＢまたはＣの実行中に、室内温度検出部２０３で室内温度を検出し、室内湿度検出部２０４で室内湿度を検出し(ST107)、外気温度検出部４０１で室外温度を検出し、これらの検出データから露点温度を算出し(ST108)、窓に結露が発生しているか否かを判定する(ST109)。そして、結露が発生していないと判断されるまで、結露防止運転Ａ、ＢおよびＣの何れかを実行する。
【００４９】
本実施の形態では、リモコン１によって結露防止運転機能がオンに設定されると、図３〜図６に示した結露防止制御を実行する。この結露防止制御は、空気調和機が運転中に限らず、停止状態のときも実行される。
【００５０】
例えば、空気調和機が暖房運転を実行中に、リモコン１によって結露防止運転機能がオンに設定され、結露発生判定部２０９によって結露発生と判定された場合の、結露防止運転Ａ、ＢまたはＣについて説明する。室内機２が結露防止制御対象の室内機となり、室内機３が結露防止制御対象外の室内機となる場合を想定する。
結露防止運転Ａにおいては、空気調和機は、暖房運転から除湿運転に切り換えられ、結露防止制御対象の室内機２における第１グループの吹き出し口については、窓に向けて送風されるように上下ベーン２２および左右ルーバ２４が制御され、結露防止制御対象の室内機２における第２グループの吹き出し口については、暖房時の吹き出し口の状態がそのまま維持される。結露防止制御対象外の室内機３においては、暖房時の吹き出し口の状態がそのまま維持される。
結露防止運転Ｂにおいては、空気調和機は、暖房運転から除湿運転に切り換えられ、結露防止制御対象の室内機２における第１グループの吹き出し口については、人を避けて送風されるように上下ベーン２２および左右ルーバ２４が制御され、結露防止制御対象の室内機２における第２グループの吹き出し口については、暖房時の吹き出し口の状態がそのまま維持される。結露防止制御対象外の室内機３においては、暖房時の開である吹き出し口の状態がそのまま維持される。
結露防止運転Ｃにおいては、空気調和機は、除湿運転が実行され、結露防止制御対象の室内機２における第１グループの吹き出し口については、人を避けて送風されるように上下ベーン２２および左右ルーバ２４が制御され、結露防止制御対象の室内機２における第２グループの吹き出し口については、暖房時の開である吹き出し口の状態がそのまま維持される。結露防止制御対象外の室内機３においては、暖房時の開である吹き出し口の状態がそのまま維持される。
【００５１】
次に、空気調和機が運転停止中に、リモコン１によって結露防止運転機能がオンに設定され、結露発生判定部２０９によって結露発生と判定された場合の、結露防止運転Ａ、ＢまたはＣについて説明する。室内機２が結露防止制御対象の室内機となり、室内機３が結露防止制御対象外の室内機となる場合を想定する。
結露防止運転Ａにおいては、空気調和機は、停止から除湿運転に切り換えられ、結露防止制御対象の室内機２における第１グループの吹き出し口については、窓に向けて送風されるように上下ベーン２２および左右ルーバ２４が制御され、結露防止制御対象の室内機２における第２グループの吹き出し口については、停止中の閉状態である吹き出し口の状態がそのまま維持される。結露防止制御対象外の室内機３においても、停止中の閉状態である吹き出し口の状態がそのまま維持される。
結露防止運転Ｂにおいては、空気調和機は、停止から除湿運転に切り換えられ、結露防止制御対象の室内機２における第１グループの吹き出し口については、人を避けて送風されるように上下ベーン２２および左右ルーバ２４が制御され、結露防止制御対象の室内機２における第２グループの吹き出し口については、停止時の閉状態である吹き出し口の状態がそのまま維持される。結露防止制御対象外の室内機３においても、停止時の閉状態である吹き出し口の状態がそのまま維持される。
結露防止運転Ｃにおいては、空気調和機は、除湿運転が実行され、結露防止制御対象の室内機２における第１グループの吹き出し口については、人を避けて送風されるように上下ベーン２２および左右ルーバ２４が制御され、結露防止制御対象の室内機２における第２グループの吹き出し口については、閉状態から開状態となるように上下ベーン２２および左右ルーバ２４が制御される。結露防止制御対象外の室内機３においても、各吹き出し口に対し閉状態から開状態となるように上下ベーン２２および左右ルーバ２４が制御される。このとき、前述したように、結露防止制御対象の室内機２における第２グループの吹き出し口および結露防止制御対象外の室内機３の各吹き出し口については、効率的な除湿が行われるようにスイング運転を行うようにしてもよいし、効率的な除湿が行われるようなベーン角度およびルーバ角度に設定してもよい。
【００５２】
このように本実施の形態によれば、複数の吹き出し口を有する室内機を有する空気調和機において、複数の吹き出し口を、窓に対する結露防止制御対象である吹き出し口である第１の吹き出し口と、結露防止制御対象でない吹き出し口である第２の吹き出し口とに分類し、第１の吹き出し口と第２の吹き出し口とを別々に制御しているので、第１の吹き出し口が結露防止を行っているときに、第２の吹き出し口は室内空間の空気調和に寄与することができ、これにより室内の温度と湿度を適切に保ちつつ窓の結露防止を実現することができる。また、窓が複数あった場合でも、結露防止への対応が可能となる。
【００５３】
また、複数の室内機を有する場合、複数の室内機を、窓に対する結露防止制御対象である室内機と、結露防止制御対象でない室内機とに分け、結露防止制御対象である室内機と結露防止制御対象でない室内機とを別々に制御しているので、結露防止制御対象である室内機が結露防止を行っているときに、結露防止制御対象でない室内機は室内空間の空気調和に寄与することができ、これにより室内の温度と湿度を適切に保ちつつ窓の結露防止を実現することができる。また、窓が複数あった場合でも、結露防止への対応が可能となる。
【００５４】
また、この実施の形態では、在人/不在に応じた結露防止運転を行っているので、ユーザの快適性を損なわずに窓の結露防止を行うことができる。
【００５５】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５６】
１  リモコン（リモートコントローラ）、２，３  室内機、４  室外機、２０  室内温度センサ、２１  室内湿度センサ、２２  上下ベーン、２３  サーモパイルセンサ、２４  左右ルーバ、２５  吹き出し口、３０  筐体、２０１  在人検出部、２０２  窓位置検出部、２０３  室内温度検出部、２０４  室内湿度検出部、２０５  室内外通信部、２０６  吹き出し口分類部、２０７  露点温度算出部、２０８  風向決定部、２０９  結露発生判定部、２１０  空調制御部、４０１  外気温度検出部、４０２  室内外通信部。
【図１】
2020183716.tif 000003
【図２】
2020183716.tif 000004
【図３】
2020183716.tif 000005
【図４】
2020183716.tif 000006
【図５】
2020183716.tif 000007
【図６】
2020183716.tif 000008
【国際調査報告】
2020183716.tif 000009
2020183716.tif 000010
2020183716.tif 000011
2020183716.tif 000012